(57)【要約】【課題】            従来、クッキングペーパーの止着や、開封したプラスチック製袋の袋口を滑落することなく強固に止着し、かつ、開放作業も容易に行なえるという簡易なクリップが存在していなかったという点である。【解決手段】        可塑性材で成形され、略中央の弾発性を有するヒンジ部を介して一体的に連接された一対の片体を有し、その片体の閉じ状態で対向する面に相互に係合する係合爪体とその係合爪体の係合受部とを一体的に備えていることとし、前記したヒンジ部は肉薄のシート状とし、前記した一対の片体及び係合爪体及び係合受部と一体化されていることとする。【選択図】          図１
2012224341.tif 000002
【特許請求の範囲】
【請求項１】
可塑性材で成形され、略中央の弾発性を有するヒンジ部を介して一体的に連接された一対の片体を有し、その片体の閉じ状態で対向する面に相互に係合する係合爪体とその係合爪体の係合受部とを一体的に備えていることを特徴とするクリップ。
【請求項２】
前記したヒンジ部は肉薄のシート状とし、前記した一対の片体及び係合爪体及び係合受部と一体化されていることを特徴とする請求項１に記載のクリップ。
【請求項３】
前記した係合受部は、係合爪体と合同体とした第二の係合爪体としたことを特徴とする請求項１または２に記載のクリップ。
【請求項４】
前記した係合爪体の頭部は相互に摺滑可能な曲面としてあり、係合面は開放時に負荷の少ないテーパ面としてあることを特徴とする請求項３に記載のクリップ。
【請求項５】
前記した係合爪体は各片体の閉じ状態で、その爪先が対向していることを特徴とする請求項３または４に記載のクリップ
【請求項６】
前記した係合受部は係合爪体の係合部を形成した透孔としたことを特徴とする請求項１または２に記載のクリップ。
【請求項７】
前記した片体の閉じ状態で対向する面の基部近傍には弾発性を補強する曲成バネ部が設けられていることを特徴とする請求項１から６のうち１項に記載のクリップ。
【請求項８】
前記した片体の閉じ状態で対向する面の少なくとも一方側にはその片体の変形を補助する切り欠き溝が形成されていることを特徴とする請求項７に記載のクリップ。
【請求項９】
前記した片体の少なくとも一方の外端縁には開放作業のための操作突片が設けられていることを特徴とする請求項１から８のうち１項に記載のクリップ。
【請求項１０】
前記した片体の少なくとも一方はヒンジ部から外端縁にかけて曲成されてバネ性を保有し、そのバネ性で係合爪体の係合及び開放動作を補助する構成としたことを特徴とする請求項１から９のうち１項に記載のクリップ。
【発明の詳細な説明】
【技術分野】
【０００１】
本発明はクリップ、それもクッキングペーパーに食品を包んだ際の止着や、一旦開封された食パンや菓子類、ペットフード等の収納袋の袋口封止止着に用いて好適なクリップに関する。
【背景技術】
【０００２】
前記したクッキングペーパーやプラスチック製の袋口をクリップで止着あるいは封止するについて、従来知られている、スプリングで挟持方向に附勢した一対の挟持体で挟む場合、対象物が、表面が滑状であったり、構造が柔らかかったりすると、十分な挟持力が発揮できず、簡単に外れたり、滑り落ちてしまうこととなる。
【０００３】
また、従来、クリップの一種として、枢動する一対のバーを有して、その一方に突片を、他方に、その突片を受け入れる溝を有した構成のものがあるが、これは、比較的距離の長いパートを抑える場合に使用するもので、部分的や捻って嵩張る袋口や幾重にも折り畳んだ袋口を止着封止する場合には適応できない。
【先行技術文献】
【特許文献】
【０００４】
出願人は、先行する技術文献を調査したが、格別に本願発明と関連し、類似していると思われる文献は発見できなかった。
【発明の概要】
【発明が解決しようとする課題】
【０００５】
本発明が解決しようとする問題点は、従来、クッキングペーパーの止着や、開封したプラスチック製袋の袋口を滑落することなく強固に止着し、かつ、開放作業も容易に行なえるという簡易なクリップが存在していなかったという点である。
【課題を解決するための手段】
【０００６】
上記した問題点を解決するために、本発明に係るクリップは可塑性材で成形され、略中央の弾発性を有するヒンジ部を介して一体的に連接された一対の片体を有し、その片体の閉じ状態で対向する面に相互に係合する係合爪体とその係合爪体の係合受部とを一体的に備えていることを特徴とし、前記したヒンジ部は肉薄のシート状とし、前記した一対の片体及び係合爪体及び係合受部と一体化されていることを特徴としている。
【０００７】
また、本発明に係るクリップは前記した係合受部は、係合爪体と合同体とした第二の係合爪体としたことを特徴とし、前記した係合爪体の頭部は相互に摺滑可能な曲面としてあり、係合面は開放時に負荷の少ないテーパ面としてあることを特徴とし、前記した係合爪体は各片体の閉じ状態で、その爪先が対向していることを特徴とし、前記した係合受部は係合爪体の係合部を形成した透孔としたことを特徴としている。
【０００８】
さらに、本発明に係るクリップは前記した片体の閉じ状態で対向する面の基部近傍には弾発性を補強する曲成バネ部が設けられていることを特徴とし、前記した片体の閉じ状態で対向する面の少なくとも一方側にはその片体の変形を補助する切り欠き溝が形成されていることを特徴とし、前記した片体の少なくとも一方の外端縁には開放作業のための操作突片が設けられていることを特徴とし、前記した片体の少なくとも一方はヒンジ部から外端縁にかけて曲成されてバネ性を保有し、そのバネ性で係合爪体の係合及び開放動作を補助する構成としたことを特徴としている。
【発明の効果】
【０００９】
本発明に係るクリップは上記のように構成されていることにより、係合爪体と係合受部の間に、対象物を導き込むようにして係合状態がなされるため、あるいは捻った袋口等の場合はヒンジ部と係合爪体との間の片体間で挟圧する形態となり、その係合状態は強固となり、滑落や軽度の衝撃で外れてしまうことがない。また、その開放作業も係合爪体の構成や補強する曲成バネ部や切り欠き溝、そして操作突片の存在によって容易に行なうことができるものとなっている。
【図面の簡単な説明】
【００１０】
【図１】本発明に係るクリップの第一実施例を示し、閉じた状態の側面図である。
【図２】斜視図である。
【図３】底面図である。
【図４】拡げた状態の内面図である。
【図５】外面図である。
【図６】図４中のＡ−Ａ線に沿った断面図である。
【図７】Ｄ−Ｄ線に沿った断面図である。
【図８】第二実施例を示す閉じた状態の側面図である。
【図９】平面図である。
【図１０】底面図である。
【図１１】図８の拡大図である。
【図１２】第三実施例を示す側断面図である。
【図１３】平面図である。
【図１４】底面図である。
【発明を実施するための形態】
【００１１】
図面として示し、実施例で説明したように構成したことで実現した。
【実施例１】
【００１２】
次に、本発明の好ましい実施の例を図面を参照して説明する。まず、図１乃至図７を参照して第一実施例を説明する。これらの図にあって１は可塑性材、本実施例にあってはポリプロピレンによって全体を成形されたクリップ本体を示している。このクリップ本体１は一対の片体２ａ、２ｂを有しており、この片体２ａ、２ｂは肉薄シート状として、弾発性を保持したヒンジ部３で一体に連接されている。また、この片体２ａ、２ｂのヒンジ部３で連接される基端側は閉じ状態で一連の弧状となるよう曲成されており、その端面は閉じ状態で密に当接する平面とされている。
【００１３】
また、各片体２ａ、２ｂのヒンジ部３の中心線から外端縁までの長さは、２ａの方がやや長く形成されている。各片体２ａ、２ｂの枢動時に対向する面には各々係合爪体４ａ、４ｂが一体に形成されており、この係合爪体４ａ、４ｂのヒンジ部３の中心線からの距離も片体２ａ、２ｂの長さに合わせ、４ａの方がやや長く形成されている。
【００１４】
この係合爪体４ａ、４ｂは合同体の形状となっており、各片体２ａ、２ｂに一体に設けられた立壁部５ａ、５ｂの先端に爪体６ａ、６ｂを一体に成形した構成となっている。この爪体６ａ、６ｂは片体２ａ、２ｂをヒンジ部３を介して閉じた状態で係合するため、開状態では相互に同一方向に爪体６ａ、６ｂの係合部が向く構成となっている。この爪体６ａ、６ｂの頂面は係合時に、相互に摺滑するため、動作が得られ易いように曲面として形成されている。
【００１５】
さらに、一方の片体２ａの外端縁には係合状態を開放する際に、他方の片体２ｂの外端縁に作業する指を掛け易いように切り欠き７が形成されている。片体２ｂの外端縁は、指を掛け易いように突部８が膨出状態で形成されている。尚、片体２ａ側の上面には閉状態とする時に指が滑らないよう、滑り止めとしての溝９が複数条形成されている。
【実施例２】
【００１６】
次に、図８乃至図１１を参照して、本発明の第二実施例を説明する。尚、第一実施例と共通する部分については同一の符号を付して詳しい説明は省略する。この第二実施例の場合、係合爪体４ａを設けた片体２ａは、一方側の片体の一部を切り込み、先端を突出させ、全体を曲成して撓みによる弾発性も備えた形態で構成されている。そして、ヒンジ部３は、片体２ｂとその切り込み、先端を突出させた片体２ａとの境界部分に形成されている。
【００１７】
片体２ａの先端部分が片体２ｂの外端縁よりも突出する構成となっているので、この突出部２ｃに指を掛けることで開放作業が行ない易くなる。
【００１８】
片体２０及び２ｂの基部近傍に相互に頂部が当接し、弾発する曲成バネ体１０ａ、１０ｂが設けられている。係合爪体４ａ、４ｂが係合した閉じ状態で、この曲成バネ体１０ａ、１０ｂは相互にその頂面で押圧し合い、開放に対しての弾発力をヒンジ部３に加えて補強する。そのため、突部２ｃを操作して、係合爪体４ａ、４ｂの係合を解除してやると、ヒンジ部３に加えて、この曲成バネ体１０ａ、１０ｂの弾発力で片体２ａ、２ｂは良好に開き、開放状態となる。
【００１９】
また、片体２ａの内側面の一部には、片体２ａの変形を補助するための切り欠き溝１１が形成されている。即ち、この切り欠き溝１１の存在によって、閉時に、係合爪体４ａを４ｂに係合させる押圧作業で、片体２ａの内側面が多少とも変形して、先端が、その切り欠き溝１１を介して曲がって持ち上がり、係合爪体４ａの位置を４ｂから離すことで係合作用が行ない易くなる。係合後は、この切り欠き溝１１の作用で、係合爪体４ａの位置が復元されるので、係合状態は強固なものとなる。加えて、開放作業時にも、この切り欠き溝１１の作用によって、片体２ａが変形するので、より一層作業が軽い力で行なえることとなる。
【実施例３】
【００２０】
次に、図１２乃至図１４を参照して、本発明の第三実施例を説明する。この第三実施例にあって、片体２ａは撓みによる変形性を保有させるため、全体を曲成した構成としている。片体２ａにはヒンジ部３の中心線と平行となる長矩形の透孔１２が形成されており、この透孔１２の前方縁から立壁５ａが設けられ、その立壁５ａの先端に爪体６ａを一体に形成した係合爪体４ａが一体に設けられている。
【００２１】
一方、片体２ｂには、前記した係合爪体４ａの少なくとも爪体６ａが挿入される透孔１３が形成されており、その透孔１３の内面側内寄り縁に、爪体６ａを受け係合する係合部としての突片１４が一体に形成されている。
【００２２】
この第三実施例にあっては、ヒンジ部３を介して片体２ａを２ｂと対応させて閉じ状態とする時に、片体２ａが曲成されていることによる撓み変形、及び透孔１２による変形の補助により、良好に係合爪体４ａの先端である爪体６ａは透孔１３内に挿入され、片体２ａの復元する力によって爪体６ａは突片１４に係合することとなる。
【００２３】
また、片体２ａにおける透孔１２の存在は、クリップ本体を型成形する際、爪体６ａの内側部分の抜き作用を容易とするメリットがあり、この透孔を爪体６ａと対応させて形成させる構成は前述した第一及び第二の実施例にあっても適応される。
【産業上の利用可能性】
【００２４】
本実施例に係るクリップは上記のように構成されている。実施例では素材としてポリプロピレンを使用することとしたが、これにこだわらず、他のプラスチックや金属を用いて成形することも勿論可能である。又、本発明に係るクリップは使用目的に応じて種々のサイズのものを成形することもでき、係合爪体とその受部の構成も１対１に限らず、複数セットを形成することも可能である。
【符号の説明】
【００２５】
１    クリップ本体
２ａ  片体
２ｂ  片体
３    ヒンジ部
４ａ  係合爪体
４ｂ  係合爪体
５ａ  立壁部
５ｂ  立壁部
６ａ  爪体
６ｂ  爪体
７    切り欠き
８    突部
９    溝
１０ａ  曲成バネ体
１０ｂ  曲成バネ体
１１  切り欠き溝
１２  透孔
１３  透孔
１４  突片
【図１】
2012224341.tif 000003
【図２】
2012224341.tif 000004
【図３】
2012224341.tif 000005
【図４】
2012224341.tif 000006
【図５】
2012224341.tif 000007
【図６】
2012224341.tif 000008
【図７】
2012224341.tif 000009
【図８】
2012224341.tif 000010
【図９】
2012224341.tif 000011
【図１０】
2012224341.tif 000012
【図１１】
2012224341.tif 000013
【図１２】
2012224341.tif 000014
【図１３】
2012224341.tif 000015
【図１４】
2012224341.tif 000016